(57)【特許請求の範囲】
【請求項１】
光源からの照明光を試料面に照射する顕微鏡用照明装置において、
照明の光軸に挿入する光学素子を保持し照明装置本体に対して挿脱自在なスライダと、
前記照明光軸の方向に並ぶように前記照明装置本体に形成された同一断面形状の複数のスライダ挿入口と、
この複数のスライダ挿入口の内部にそれぞれ配置されて前記スライダを保持すると共に照明の光軸に対して垂直な面内で芯出し調節する芯出し部材と、
を備えることを特徴とする顕微鏡用照明装置。
【請求項２】
前記照明装置本体はケーラー照明を用いた落射照明用の投光管であり、前記光学素子として視野絞りと開口絞りと調光用フィルタの少なくとも一つを使用したことを特徴とする請求項１記載の顕微鏡用照明装置。
【請求項３】
前記光学素子として、対物レンズ瞳の投影位置を変更するためまたは光源の投影倍率を変更するための補助レンズを使用したことを特徴とする請求項１記載の顕微鏡用照明装置。
【発明の詳細な説明】
【０００１】
【発明の属する技術分野】
本発明は顕微鏡用照明装置に係り、特にケーラー照明を用い、水銀などの光源を用いて照明光を試料（標本）面に照射することで試料面より発する蛍光を観察する落射蛍光観察に用いる顕微鏡用照明装置に関する。
【０００２】
【従来の技術】
最近の顕微鏡用照明はケーラー照明が主流である。これは光源であるランプを対物レンズ瞳位置（後側焦点位置）に投影させムラのない照明を行うものである。
【０００３】
このケーラー照明を用いたほとんどの落射照明装置では、落射投光管内に前述の対物レンズ瞳位置と共役な位置に開口絞り（ＡＳ）、標本面と共役な位置に視野絞り（ＦＳ）と呼ばれる開閉自在な絞りを配置しているのが普通である。この各絞りはその絞り中心が照明光軸上に合致していることが重要であり、予め調整されているものや、照明光軸上に移動する手段が設けられているのが普通である。
【０００４】
また、前述の絞り以外にも照明光強度の調整を行うためのＮＤフィルタや、照明光の波長特性を変化させるためのフィルタなどを照明光路に自在に挿脱可能な挿入口を有しているものが多い。これらのフィルタは照明光軸に対し位置がラフで良いことから前述の絞りのような調整手段が用いられていない。
【０００５】
【発明が解決しようとする課題】
最近では、生物研究分野の発展に伴い落射照明装置（落射投光管）の使われ方や顕微鏡本体との組合せも様々となってきている。例えば、対物レンズ上下動式顕微鏡に組み合わせたり、視野絞りを従来の接眼レンズに合わせた円形状ではなく、ＴＶカメラの受光素子に合わせた矩形にしたり、ピンホール絞りや観察範囲に合わせた任意の形状にするなどの要求がある。
【０００６】
前者の場合、試料又はステージを固定にして対物レンズを上下動させる機構を落射照明装置と対物レンズの間に構成しなければならない。この場合、光源が対物レンズの瞳位置に結像しなくなるためケーラー照明ができなくなり、結果として照明ムラが発生する。
【０００７】
後者の場合には、任意の絞りを落射照明光軸上（または使用者の任意の位置）に配置できることが必要となる。今後の落射照明装置ではこれらの間題点を解消し、使用者の要求に簡単に対応できる汎用性に優れていることが重要な機能の１つになってくると予想される。
【０００８】
従来の落射照明装置では第１の公知例（特表平８−５０１１６３号公報）にもあるように落射照明装置に付加されるべき光学素子や絞りなどモジュール化し、落射投光管（落射照明装置のうち照明光を試料に導くための部位）に着脱可能としているものもある。
【０００９】
しかしながら各ユニットは落射照明光軸への位置調整を必要とするものとそうでないものとにわかれ、調整を必要とするものについてはユニットに調整機構を設けており、各ユニットによって大きさ、形状が異なっている。このため落射投光管への挿入位置は制限されてしまっている。
【００１０】
具体的には第１の公知例に開示されている内容は調整された各モジュールを落射投光管に設けられた取付精度面に当て付け位置決固定することを特徴としている。これらの落射投光管では各ユニットを着脱することはできるが、あくまでもメーカーが設定したユニットをメーカーが設定した位置にしか組み合わせることができず、使用者が任意の位置に任意のユニットを簡単に取り付けることはできない。
【００１１】
このための前述の間題点の解消には至っていない。第２の公知例（特開平９−５６３１号公報）、第３の公知例（特開平１０−７３７６８号公報）では開口絞りが落射投光管に対し挿脱可能なことが開示されているが、これも上記と同様の間題がある。
【００１２】
第４の公知例（実開昭５０−７６８４０号公報）にはコンデンサレンズの着脱、心出し手段が開示されている。着脱可能な光学素子を顕微鏡に対し着脱、心出し可能な点では本発明に類似であるが、この発明ではあくまでもコンデンサレンズを所定のスロットに挿入することのみを特徴としており、前述の本発明の課題である汎用性をもった照明系を提供するには至っていない。
【００１３】
本発明は上述のような実情に鑑みてなされたもので、その目的とするところは、必要な光学素子のみを簡単に設置、調整可能でかつ、補助レンズなど照明光学系を変更するための光学素子も配置、調整可能な汎用性に優れた顕微鏡用照明装置を提供することにある。
【００１４】
【課題を解決するための手段】
前記目的を達成するため、請求項１に対応する発明は、光源からの照明光を試料面に照射する顕微鏡用照明装置において、
照明の光軸に挿入する光学素子を保持し照明装置本体に対して挿脱自在なスライダと、
前記照明光軸の方向に並ぶように前記照明装置本体に形成された同一断面形状の複数のスライダ挿入口と、
この複数のスライダ挿入口の内部にそれぞれ配置されて前記スライダを保持すると共に照明の光軸に対して垂直な面内で芯出し調節する芯出し部材と、
を備えることを特徴とする顕微鏡用照明装置である。
【００１５】
請求項１に対応する発明によれば、同一形状の薄型スライダに光学素子を具備し、照明装置本体（落射投光管など）には前記スライダが挿入可能かつ、落射照明光軸に垂直な面内で移動可能とすることで、フィルタだけでなく絞りなど様々な光学素子を照明系の所定の位置に挿入、調整できるほか、不要な光学素子の代わりにフィルタなどを挿入使用できるため使用者の要求に対応可能な照明装置を提供できる。
【００１６】
前記目的を達成するため、請求項２に対応する発明は、以下のように構成したものである。前記照明装置本体はケーラー照明を用いた落射照明用の投光管であり、前記光学素子として視野絞りと開口絞りと調光用フィルタの少なくとも一つを使用したことを特徴とする請求項１記載の顕微鏡用照明装置である。
【００１７】
前記目的を達成するため、請求項３に対応する発明は、前記光学素子として、対物レンズ瞳の投影位置を変更するためまたは光源の投影倍率を変更するための補助レンズを使用したことを特徴とする請求項１記載の顕微鏡用照明装置である。
【００１８】
請求項３に対応する発明によれば、補助レンズを組み込むことで光源の投影位置や投影倍率を変えるなど元の照明光学系に多少の改造を使用者が容易に行えるようになり、照明装置自体の制限を減らすことができる。
【００１９】
【発明の実施の形態】
以下、図面を参照して本発明を落射照明装置に適用した実施形態を説明する。
【００２０】
図１〜７図を用いて本発明の第１実施形態について説明する。図１、２図は本発明の適用される顕微鏡の全体図に落射照明光学系を重ねあわせた図を示し、図３、図４、図５はそれぞれ図１のスライダ挿入口部の断面図、上面図、側面図を示す。また、図６及び図７には挿入口に挿入されるスライダのうち代表的な２種を示し、いずれも（ａ）は断面図、（ｂ）は正面図を示している。
【００２１】
まず、図１、図２を用いて全体を説明する。顕微鏡本体０１には試料０９を図中の観察光軸に垂直な面内で移動可能なステージ０８を固定したステージホルダ０３が焦準ハンドル０２により観察光軸に沿って移動可能に保持されている。
【００２２】
顕微鏡本体０１上部には落射照明を行うための少なくとも１つの照明レンズ群２２、２３、２４、２５を有する照明装置本体としての落射投光管２００が図示しないネジ等で位置決め固定されている。この落射投光管２００には、ＬＨ（ランプハウス）マウント２１が備えられており、ＬＨマウント２１にマウント１４が嵌合することによって光源となるランプ１３を図示しない調整ツマミで図中の落射照明光軸に垂直な面内で移動可能な状態で保持するランプハウス１００が固定されている。
【００２３】
ランプハウス１００内にはランプ１３から発せられた光線を落射投光管２００内部へ導く為の少なくとも１枚から構成されるコレクタレンズ１１が、光軸方向に移動可能に保持され、コレクタレンズ１１と反対側にはランプ１３から発せられた光線を再度ランプ発光位置に集光できる位置に凹面鏡１２が固定されている。
【００２４】
落射投光管２００内には落射照明光軸と観察光軸の交わる位置に落射照明光線を対物レンズ０６側に折り曲げるためのダイクロイックミラーおよび、落射照明光のうち必要な光線のみを選択する励起フィルタ２８、試料０９から発せられた蛍光のみを透過させ不利益な光線を除去するための吸収フィルタ３０が備えられている、落射投光管２００の下方には少なくとも１つのレンズ群０７を有する複数の対物レンズ０６を保持し、任意の対物レンズ０６を観察光軸上に配置可能な対物レンズ変換器０４が着脱自在に保持されている。ここで対物レンズ瞳０５は、対物レンズ０６内のレンズ群０７の後側焦点位置を示している。
【００２５】
また、落射投光管２００の上側には対物レンズ０６を通った平行光線を結像させるための結像レンズ４１を有する鏡筒４０が着脱自在に保持されており、鏡筒４０には試料０９を観察するための接眼レンズ５０が図示しない嵌合により位置決め固定されている。
【００２６】
落射投光管２００内には試料０９と共役な位置にあるＦＳ２６と対物レンズ瞳０５と共役な位置にあるＡＳ２７を含む少なくとも２つ以上（図では７ケ所）の同一断面形状を持つ挿入口３２〜３８を有しており、各挿入口３２〜３８には同一断面の形状のスライダ４２〜４８が挿脱可能に保持されている。
【００２７】
次に、このように構成された顕微鏡用照明装置の第１実施形態の作用を説明する。図示しない調整ツマミにより落射照明光軸上に調整されたランプ１３から発せらる光線はコレクタレンズ群１１により投光管２００内に導かれる。ランプ１３からコレクタレンズ群１１とは反対方向に発せられた光線についても凹面鏡１２により無駄無く投光管２００に導かれることになる。コレクタレンズ群１１から投光管２００に導かれる光線が平行光となるようにコレクタレンズ群１１を落射光軸方向に微少量調整する。
【００２８】
投光管２００内に導かれた平行光線は照明レンズ２２、２３により光線高さを小さくした後、照明レンズ２４によりＡＳ（開口絞り）２７に結像する。その後照明レンズ２５、励起フィルタ２８を通過した後ダイクロイックミラー２９で対物レンズ０６側に折り返され、対物レンズ０６の対物レンズ瞳０５の位置に再び結像し標本面に照射される。この状態がケーラー照明である。
【００２９】
ここで、顕微鏡本体０１の焦準ハンドル０２を回転させることで試料０９をステージ０８ごと観察光軸方向に移動させ、試料０９を対物レンズ０６のピント位置に一致させる。対物レンズ０６から照射された照明光線により試料０９から発せられた蛍光は再びレンズ群０７、ダイクロイックミラー２９、吸収フィルタ３０を通過した後、鏡筒４０内の結像レンズ４１により結像され、接眼レンズ５０により観察可能となる。
【００３０】
この時、ＦＳ２６の位置に像を配置した場合その像は試料０９に結像し接眼レンズ５０で観察可能となる。また、落射投光管２００内に設けられた挿入口３２〜３８には後述する各種スライダが挿脱可能となっており、光学素子などを落射照明光軸上へ配置できるようになっている。
【００３１】
次に投光管２００内に設けられた挿入口３２〜３８および挿入口３２〜３８に挿脱可能なスライダについて図３〜図７を用いて説明する。投光管２００は上側にカバー５１を備え、内側には落射照明光線を通すためのＵ字型の切り欠き５２を有するリブ５５、側面には挿入穴５３が備えられており、挿入穴５３の上下にはネジ穴５４が形成されている。
【００３２】
リブ５５の間には心出し部材６１が挟みこまれた形で保持されている。ネジ穴５４には先端に球形状７２ａ、７２ｂを有するツマミネジ７１ａ、７１ｂがねじ込まれ、心出し部材６１の側面の円周６２に突き当たっている。心出し部材１つにつきツマミネジ７１ａ、７１ｂは上下２ケ所に構成され、それぞれのツマミネジ７１ａ、７１ｂはわずかに角度を持って配置されている。
【００３３】
ツマミネジ７１ａ、７１ｂが構成されているのとは反対の側面にはＶ溝６９が形成されており、ここに先端が球形状のプランジャ５６がはまり込んでいる。このプランジャ５６は、落射投光管２００にねじこみ固定された調整ネジ５８に嵌合して保持されている。プランジャ５６内部にはプランジャバネ５７が構成されており、プランジャ５６は常に心出し部材６１をツマミネジ７１ａ、７１ｂの方向に押圧する。
【００３４】
また、心出し部材６１には落射照明光線を通すための開口部６３、コの字型のスライダ挿入部６７が構成され、挿入部６７にはストッパ６８が固定されている。挿入部６７の上側には長溝型の凹部６６が形成され、ここにイタバネ６５が配置されて円筒形のクリック６４を挿入部６７内へ押し込む方向（図の下側）に力を与えている。イタバネ６５は、落射光軸方向にずれないようにスラスト板７０で挟み込まれている。スラスト板７０は図示しないビスで心出し部材６１に固定されている。
【００３５】
このとき、心出し部材６１のコの字型のスライダ挿入部６７とスラスト板７０により形成される長方形の開口部（Ａ×Ｂ）が後述するスライダを挿入するための挿入口となる。
【００３６】
図６に示すフィルタスライダ１７１には、照明光線の強度や波長特性を変えるためのフィルタ１７２が例えば接着などの手段で固定されており、フィルタ１７２と同心円状の開口１７４が構成されている。フィルタスライダ１７１の両側面には、心出し部材６１のスライダ挿入部６７に挿入した際、クリック６４の押圧によりフィルタスライダ１７１がストッパ６８に突き当たるような位置にＶ溝１７３が形成されている。
【００３７】
図７に示す絞りスライダ８１には、落射照明光線を通過させるための開口部８２と、その同心円状に形成された段付部である嵌合部８４を有している。嵌合部８４の底部には少なくとも４ケ所以上のボス孔８５が嵌合部８４と同心円状に並ぶように形成されている。ボス孔８５には、カシメピン８６、８７が互いに異なる面にカジメられた三日月型で厚さ０．０５mm程度の羽根８８の一方のカシメピン８６とボス孔８５が嵌合している。
【００３８】
嵌合部８４には、マワシカン９０が回転自在に嵌合している。このマワシカン９０には、カシメピン８６に嵌合するスリット状切り欠き９１、落射照明光線を通過させるための開口部８９を形成したマワシカン９０のスリット上切り欠き９１が形成されている面とは反対側の面には段差９２があり、この段差面にはピン１５３が固定されている。
【００３９】
また、絞りスライダ８１には図示するような凹部９５が形成されており、この凹部９５には操作レバー９４が絞りスライダ８１に固定された回転軸９７により凹部９５内で自在に回転可能に保持されており、その端面に形成されたスリット９８にピン１５３が嵌合している。更に、マワシカン９０、操作レバー９４が光軸方向に動かないように、スラストカバー９９が固定ビス９６により絞りスライダ８１に固定されている。絞りスライダ両側面にはフィルタスライダと同様な位置にＶ溝９３が形成されている。
【００４０】
次に、図３〜図７で説明した構成による作用を説明する。まず各種スライダ１７１、８１を投光管２００に挿入する場合、心出し部材６１内のスライダ挿入部６７とスラスト板７０で形成された開口部（Ａ×Ｂ）に落射投光管２００側面の挿入穴５３より挿入していく。このときクリック６４が押し上げれら、更に挿入するとＶ溝１７３、９３に落ち込み、スライダ１７１、８１の端面をストッパに押し当てた状態で位置が決まる。
【００４１】
次にスライダの心出しを行うがこの場合、ツマミネジ７１ａ、７１ｂを回しネジ込んだりゆるめたりすることで先端の球形状７２ａ、７２ｂにより心出し部材６１を落射照明光軸に対して垂直な面内で移動することで心出しを行う。この時心出し部材にはプランジャバネ５７によりツマミネジ７１ａ、７１ｂを押し返す方向の力が作用し釣り合いが保たれる。例えば上側のツマミネジ７１ａを押し込んだ場合は心出し部材６１は図の左下に移動し、下側のツマミネジ７１ｂをゆるめた場合は右下方向に移動することになる。この時心出し部材に嵌合位置決めされている各種スライダ１７１、８１も一緒に落射照明光軸と垂直な面内で移動することが可能となる。
【００４２】
次に絞りスライダ８１についてその作用を説明する。開閉レバーを図中の矢印方向に移動させるとマワシカンが回転し、これに伴いスリット状切り欠き９１に嵌合しているカシメピン８７および羽根８８がカシメピン８６を中心に回転し結果として絞りが開閉することになる。絞り径の最大、最小径は凹部９５の壁面と操作レバー９４が接触することで決定する。最後に前述の全ての構成による作用を説明する。
【００４３】
例えばごく一般的な検鏡をする場合は、挿入口３８と３６に絞りスライダ８１を挿入し、挿入口３２、３３、３４、３５、３７に照明強度変更用フィルタを内蔵したフィルタスライダ１７１を挿入し使用する。この場合照明強度の調整はフィルタスライダ１７１の挿脱で行い、視野絞り（ＦＳ）、開口絞り（ＡＳ）の操作はスライダ８１の操作レバー９４で行うことができる。また絞りの心出し調整についてもツマミネジ７１ａ、７１ｂにより可能である。開口絞り（ＡＳ）を必要としない場合は挿入口３６もフィルタスライダ１７１を挿入し使用することができる。この他標本面上にピンホールを投影させたい場合については挿入口３８にフィルタスライダ１７１のフィルタ１７２の代わりにピンホールを固定したスライダを挿入し、視野内の中心または使用者の任意の位置に移動させることができる。位置調整については絞りスライダ８１と同様の手順で行うことが可能となる。
【００４４】
以上、本発明の第１実施形態によれば落射投光管に具備されるべき光学素子の組合せを任意に変えることができ、更に簡単な改造でピンホールや任意の形状を視野に投影させ、かつ任意の位置に調整できるようになる。
【００４５】
また、第１実施形態によれば、光学素子位置を照明光軸上へ調整する心出し機構を挿入口側に設けたことにより、スライダの構成を簡単にすることができ安価に提供できるうえ、形状を薄くできるため、挿入口を小さいスペースで構成でき挿入口を設けるための制限条件を減らすことができる。
【００４６】
次に、図８、図９を用いて本発明の第２実施形態について説明する。図８、図９はそれぞれ挿入口に挿入されるスライダを示し、（ａ）は断面図、（ｂ）は正面図を示す。本実施形態はスライダのみを特徴としているため、図もスライダのみとする。挿入される投光管側については第１実施形態と同じであるため同一の符号を付け説明は省略する。
【００４７】
図８に示す補助凹レンズスライダ１０１には落射照明光線を通すための開口部１０２、レンズ嵌合部１０５が形成されており、凹レンズ１０４が嵌合し、レンズ嵌合部１０５内壁に形成されたレンズ固定用Ｖ溝１０６にリングバネ１０７を落とし込んだ状態で固定されている。補助凹レンズスライダ１０１両側面には、心出し部材６１の挿入部６７に挿入した際、クリック６４の押圧により補助凹レンズスライダ１０１がストッパ６８に突き当たるような位置にＶ溝１０３が形成されている。
【００４８】
図９に示す補助凸レンズスライダ１１１には落射照明光線を通すための開口部１１２、レンズ嵌合部１１５が形成されており、凸レンズ１１４が嵌合し、レンズ嵌合部１１５内壁に形成されたレンズ固定用Ｖ溝１１６にリングバネ１１７を落とし込んだ状態で固定されている。
【００４９】
補助凸レンズスライダ１１１両側面には、心出し部材６１の挿入部６７に挿入した際、クリック６４の押圧により補助凸レンズスライダ１１１がストッパ６８に突き当たるような位置にＶ溝１１３が形成されている。尚、凹レンズ１０４、凸レンズ１１４の曲率については落射照明装置の光学系などにより決定されたものであり、それぞれ複数枚のレンズから構成してもよい。又、凹レンズ１０４、凸レンズ１１４の固定方法は、リングバネ固定以外に接着等の手段を用いてもよい。
【００５０】
次に以上のような構成による作用を説明する。まず、例えば落射投光管２００を対物レンズ上下動式顕微鏡に組み合わせる場合のように、落射投光管２００と対物レンズ変換器０４の間を遠ざける場合について説明する。この場合対物レンズ瞳０５位置がＡＳ２７から遠ざかるため、コレクタレンズ１１を微少量調整してもランプ１３は対物レンズ瞳０５に結像することができず、結果としてケーラー照明を得ることができなくなる。このとき挿入口３５または３７に補助凹レンズスライダ１０１を挿入すると、ランプ１３の結像位置が遠ざかることになる。
【００５１】
凹レンズ１０４の曲率を調整することにより遠ざかった対物レンズ瞳０５にランプ１３を結像することが可能になり、ケーラー照明を得ることができる。但し、挿入口３５に補助凹レンズスライダ１０１を挿入した場合はＡＳ２７位置も変化するので、絞りスライダ８１を挿入口３７に挿入する必要がある。
【００５２】
また、この場合補助凹レンズスライダ１０１を入れたことで落射照明光軸にずれが発生するため、補助凹レンズスライダ１０１の心調整を行うことが必要となる。調整方法は対物レンズ０６を取り除いた状態でステージ０８上にランプ１３の像を投影させ、補助凹レンズスライダ１０１の挿脱によるランプ１３の投影像がずれないように調整する。従来の落射投光管に補助凹レンズスライダ１０１を挿入した場合でもランプ１３の位置を調整することで前述のランプ投影像のずれをなくすことは可能であるが、この場合は落射照明光軸が傾いた状態になっておりコレクタレンズ１１のフォーカス調整により著しい心ずれを生じる。実際の観察では照明ムラが発生する。
【００５３】
また、例えば凸レンズ１１４と凹レンズ１０４の組合せでアフォーカル変倍光学系となるような凸レンズ１１４と凹レンズ１０４を備えた補助凸レンズスライダ１１１と補助凹レンズスライダ１０１をそれぞれ挿入口３２と３４に挿入すると、ランプ１３の結像位置は変えずにランプ１３の対物レンズ瞳０５への投影倍率を変化させることが可能となる。
【００５４】
上述のアホーカル変倍光学系は１対の補助凸レンズスライダ１１１と補助凹レンズスライダ１０１から構成する必要はなく、３種以上のスライダで構成しても良い。
【００５５】
以上、本発明の第２実施形態によれば、光源の投影位置を簡単に変更できるため落射投光管と対物レンズの距離を容易に変更することができ、この結果対物上下動型顕微鏡など複数の異なる対物取付け位置の顕微鏡への適用が簡単に行えるようになる。また、投影倍率を変更することで使用する対物レンズに合わせた最適な照明を簡単に実現することも可能となる。
【００５６】
次に、図１０、図１１、図１２を用いて本発明の第３実施形態について説明する。図１０、図１１、図１２はそれぞれ挿入口３２〜３８の断面および上面、側面図を示す。第１実施形態と同じ部位については同一の符号を付け説明は省略する。投光管２００内には落射照明光線を通すためのＵ字型の切り欠き５２を有するリブ５５、両側面には挿入穴５３ａ，５３ｂが備えられており、一方の挿入穴５３ａの上下にはネジ穴５４が形成されている。リブ５５の間には心出し部材１３１が挟みこまれた形で保持されている。
【００５７】
ネジ穴５４には先端に球形状７２ａ、７２ｂを有するツマミネジ７１ａ、７１ｂがねじ込まれ、心出し部材１３１の側面の円周１３２に突き当たっている。ツマミネジ７１ａ、７１ｂは球形状７２ａ、７２ｂとは逆端面に図示しない６角穴を有しており、調整ツマミ１５１はこの６角穴に嵌合する先端１５２を有している。それぞれのツマミネジ７１ａ、７１ｂはわずかに角度を持って配置されている。心出し部材１つにつきツマミネジ７１ａ、ｂは上下２ヶ所に構成され、それぞれのツマミネジ７１ａ、７１ｂはわずかに角度を持って配置されている。心出し部材１３１のツマミネジ７１ａ、７１ｂが構成されているのとは反対の側面には平面１３９が形成されておりここに先端に広い平面１２１ａを有するプランジャ１２１が平面１３９に接するように落射投光管２００に固定された調整ネジ５８に嵌合している。プランジャ１２１内部にはプランジャバネ５７が構成されており、プランジャ５６は常に心出し部材１３１をツマミネジ７１ａ、７１ｂ方向に押圧する。心出し部材１３１には落射照明光線を通すための開口部１３３、コの字型のスライダ挿入部１３７が構成され、挿入部１３７の上側には長溝型の凹部６６が形成され、ここにイタバネ６５が配置されて円筒形のクリック６４を挿入部６７内へ押し込む方向（図の下側）に力を与えている。イタバネ６５は、光軸方向にずれないようにスラスト板７０で挟み込まれている。スラスト板７０は図示しないビスで心出し部材１３１に固定されている。
【００５８】
次に上記構成による作用について説明する。まず各種スライダ１７１、８１、１０１、１１１を投光管２００に挿入する場合、心出し部材１３１内の挿入部１３７とスラスト板７０で形成された開口部（Ａ×Ｂ）に落射投光管２００の側面（どちら側からでも可能）に形成された挿入穴５３ａ又は５３ｂより挿入していく。このとき、クリック６４が押し上げられ、更に挿入するとＶ溝１７３、８３、１０３、１１３に落ち込み、スライダ１７１、８１、１０１、１１１の位置が決まる。
【００５９】
次にスライダの心出しを行うがこの場合、調整ツマミ１５１の先端１５２をツマミネジ７１ａ、７１ｂの図示しない６角穴に嵌合しながら回しツマミネジ７１ａ、７１ｂをねじ込んだりゆるめたりすることで先端の球形状７２ａ、７２ｂにより心出し部材１３１を落射照明光軸に対して垂直な面内で移動する。
【００６０】
この時心出し部材１３１にはプランジャバネ５７により調整ネジ５８を押し返す方向の力が作用し釣り合いが保たれる。例えば上側のツマミネジ７１ａを押し込んだ場合は心出し部材１３１は図の左下に移動し、下側のツマミネジ７１ｂをゆるめた場合は右下方向に移動することになる。この時心出し部材に嵌合位置決めされている各種スライダ１７１、８１、１０１も一緒に落射照明光軸と垂直な面内で移動することが可能となる。また、この場合心出し部材１３１はプランジャ１２１と平面で接触しているため心出し部材１３１が傾くことなくツマミネジ７１ａ、７１ｂにより心出し部材１３１を移動することになる。
【００６１】
以上第３実施形態によれば、第１実施形態と同様の効果を得られるほか、心し調整によるスライダの傾きが発生しないため、矩形絞りなど回転方向のある絞りを挿入した場合に傾くことなく視野中心に投影することが可能となる。また、各種スライダの挿入方向を左右どちら側からでも行えるうえ、心出し調整ツマミを別体としたことで不要な時には外しておけるため装置側面の制限される空間を減らすことができる。
【００６２】
（変形例）
本実施形態では正立型顕微鏡に組合せた場合のみ記載したが、これ以外の例えば倒立型顕微鏡に組み合わせた場合でも同様の効果を得られる。図６〜図９で説明したスライダ以外にも照明光軸上に配置することで顕微鏡使用者になんらかの利益をもたらす部材をスライダに構成することも可能である。
【００６３】
【発明の効果】
本発明によれば、必要な光学素子のみを簡単に設置、調整可能でかつ、補助レンズなど照明光学系を変更するための光学素子も配置、調整可能な汎用性に優れた顕微鏡用照明装置を提供することができる。
【図面の簡単な説明】
【図１】本発明の適用される顕微鏡の全体図に落射照明光学系を重ねあわせた平面構成図。
【図２】本発明の適用される顕微鏡の全体図に落射照明光学系を重ねあわせた正面構成図。
【図３】本発明による顕微鏡用照明装の第１の実施形態を説明するためのものであって図１のスライダ挿入口部の断面図。
【図４】図１のスライダ挿入口部の上面図。
【図５】図１のスライダ挿入口部の側面図。
【図６】図１の挿入口に挿入されるスライダの一例を説明するための図。
【図７】図１の挿入口に挿入されるスライダの一例を説明するための図。
【図８】本発明による顕微鏡用照明装の第２の実施形態を説明するためのものであって図１のスライダ挿入口部を示す図。
【図９】本発明による顕微鏡用照明装の第２の実施形態を説明するためのものであって図１のスライダ挿入口部の断面図。
【図１０】本発明による顕微鏡用照明装の第３の実施形態を説明するためのものであって図１の挿入口の断面図。
【図１１】本発明による顕微鏡用照明装の第３の実施形態を説明するためのものであって図１の挿入口の上面図。
【図１２】本発明による顕微鏡用照明装の第３の実施形態を説明するためのものであって図１の挿入口の側面図。
【符号の説明】
０１…顕微鏡本体
０２…焦準ハンドル
０３…ステージホルダ
０４…対物レンズ変換器
０５…対物レンズ瞳
０６…対物レンズ
０７…レンズ
０８…ステージ
０９…試料
１１…コレクタレンズ
１２…凹面鏡
１３…ランプ
１４…マウント
２１…ＬＨマウント
２２〜２５…照明レンズ
２６…ＦＳ
２７…ＡＳ
２８…励起フィルタ
２９…ダイクロイックミラー
３０…吸収フィルタ
３２〜３８…挿入口
３２，３３…挿入口
４０…鏡筒
４１…結像レンズ
４２〜４８…スライダ
５０…接眼レンズ
５１…カバー
５３…挿入穴
５４…ツマミネジ
５５…リブ
５６…プランジャ
５７…プランジャバネ
５８…調整ネジ
６１…部材
６２…円周
６３…開口部
６４…クリック
６５…イタバネ
６６…凹部
６７…スライダ挿入部
６８…ストッパ
６９…Ｖ溝
７０…スラスト板
７１ａ，７１ｂ…ツマミネジ
７２ａ．７２ｂ…球形状
７４…クリック
８１…絞りスライダ
８２…開口部
８４…嵌合部
８５…ボス孔
８６，８７…カシメピン
８８…羽根
８９…開口部
９０…マワシカン
９２…段差
９３…Ｖ溝
９４…操作レバー
９５…凹部
９６…固定ビス
９７…回転軸
９８…スリット
９９…スラストカバー
１００…ランプハウス
１０１…補助凹レンズスライダ
１０２…開口部
１０３…Ｖ溝
１０４…凹レンズ
１０５…レンズ嵌合部
１０６…Ｖ溝
１０７…リングバネ
１１１…補助凸レンズスライダ
１１２…開口部
１１３…Ｖ溝
１１４…凸レンズ
１１５…レンズ嵌合部
１１６…Ｖ溝
１１７…リングバネ
１２１ａ…平面
１２１…プランジャ
１３１…部材
１３２…円周
１３３…開口部
１３７…スライダ挿入部
１３９…平面
１５１…調整ツマミ
１５２…先端
１５３…ピン
１７１…フィルタスライダ
１７２…フィルタ
１７３…Ｖ溝
１７４…開口
２００…落射投光管
【図１】
0004624543.tif 000002
【図２】
0004624543.tif 000003
【図３】
0004624543.tif 000004
【図４】
0004624543.tif 000005
【図５】
0004624543.tif 000006
【図６】
0004624543.tif 000007
【図７】
0004624543.tif 000008
【図８】
0004624543.tif 000009
【図９】
0004624543.tif 000010
【図１０】
0004624543.tif 000011
【図１１】
0004624543.tif 000012
【図１２】
0004624543.tif 000013